(57)【要約】【課題】ボウル部を流下する水の流れ方を変化させることができる小便器および小便器装置を提供する。【解決手段】本発明の小便器１は、ボウル部２と、ボウル部２の内面に水を流下させる吐水部６とを備える。ボウル部２は、形状が可変な水流制御部４を有する。水流制御部４は、ボウル部２の内面において吐水部６から吐出された水が流れる部分に設けられる。小便器１は、水流制御部４を駆動し、水流制御部４の形状を変化させる駆動部５をさらに備える。【選択図】図１
2017115518.tif 000002
【特許請求の範囲】
【請求項１】
小便を受けるように構成されたボウル部と、
前記ボウル部の内面に水を流下させる吐水部と
を備え、
前記ボウル部は、前記ボウル部の内面において前記吐水部から吐出された水が流れる部分に設けられ、形状が可変な水流制御部を有し、
前記水流制御部を駆動し、前記水流制御部の形状を変化させる駆動部をさらに備えている
ことを特徴とする小便器。
【請求項２】
前記水流制御部は、起倒可能な複数の突起部を有し、
前記駆動部は、前記複数の突起部を起倒させるように構成されている
ことを特徴とする請求項１記載の小便器。
【請求項３】
前記複数の突起部の各々は磁性形状記憶合金により構成され、
前記駆動部は、前記複数の突起部を起倒するよう駆動する電磁石を有している
ことを特徴とする請求項２記載の小便器。
【請求項４】
前記複数の突起部の各々は線状に形成されている
ことを特徴とする請求項２または請求項３記載の小便器。
【請求項５】
前記複数の突起部の各々は、前記吐水部から吐出された水が伝うように構成された面状の水伝い面を有する
ことを特徴とする請求項２または請求項３記載の小便器。
【請求項６】
請求項１〜５のいずれか一項に記載の小便器を具備する小便器装置であって、
前記駆動部に電力を供給する発電機を備えている
ことを特徴とする小便器装置。
【請求項７】
前記発電機は、前記小便器が設置された部屋の床に配置される発電床装置により構成されている
ことを特徴とする請求項６記載の小便器装置。
【発明の詳細な説明】
【技術分野】
【０００１】
本発明は、小便器およびこれを備えた小便器装置に関する。
【背景技術】
【０００２】
特許文献１には、従来の小便器が開示されている。この特許文献１記載の小便器は、便器ボウルと、便器ボウルの上部に設けられた分配室とを備えている。分配室には複数の小穴が設けられており、分配室は複数の小穴を介して洗浄水を吐出するように構成される。
【０００３】
この便器ボウルの両側の側壁の内面には、導水段部が設けられている。導水段部は、洗浄水を便器ボウルの前壁にまで導水するために設けられている。
【０００４】
この特許文献１記載の小便器において、小穴から吐出された洗浄水は、便器ボウルの内面を伝って流下する。便器ボウルの内面を伝って流下した洗浄水は、導水段部を伝って便器ボウルの前壁の内面にまで移動する。これにより、洗浄水は、便器ボウルの全面にわたって広い範囲に流れる。
【先行技術文献】
【特許文献】
【０００５】
【特許文献１】特開２００１−１１５５３３号公報
【発明の概要】
【発明が解決しようとする課題】
【０００６】
ところで上記特許文献１記載の小便器は、導水段部を設けることで、洗浄水を広範囲に流すことが可能であるが、洗浄水の流れ方はいつも同じであるため、洗浄水の流量が小さい部分については、洗浄効果が弱くなる可能性がある。
【０００７】
本発明は、上記事情に鑑みてなされたものであり、その目的とするところは、ボウル部を流下する水の流れ方を変化させることができる小便器および小便器装置を提供することにある。
【課題を解決するための手段】
【０００８】
本発明の小便器は、小便を受けるように構成されたボウル部と、前記ボウル部の内面に水を流下させる吐水部とを備え、前記ボウル部は、前記ボウル部の内面において前記吐水部から吐出された水が流れる部分に設けられ、形状が可変な水流制御部を有し、前記水流制御部を駆動し、前記水流制御部の形状を変化させる駆動部をさらに備えていることを特徴とする。
【０００９】
本発明の小便器装置は、上記小便器を具備する小便器装置であって、前記駆動部に電力を供給する発電機を備えている。
【発明の効果】
【００１０】
本発明の小便器および小便器装置によれば、ボウル部を流下する水の流れ方を変化させることができる。
【図面の簡単な説明】
【００１１】
【図１】図１は、本発明の一実施形態に係る小便器装置の斜視図である。
【図２】図２Ａは、同上の小便器装置において、突起部が倒れた状態を示す正面図である。図２Ｂは、同上の小便器装置において、突起部が起立した状態を示す正面図である。
【図３】図３は、同上の小便器装置において、鉛直面での断面図である。
【図４】図４Ａは、同上の小便器装置において、ワイヤが倒れた状態を示す要部拡大正面図である。図４Ｂは、図４Ａの鉛直面での断面図である。図４Ｃは、同上の小便器装置において、ワイヤが起立した状態を示す要部拡大正面図である。図４Ｄは、図４Ｃの鉛直面での断面図である。
【図５】図５は、同上の小便器装置のブロック図である。
【図６】図６Ａは、本発明の一実施形態の変形例１の小便器装置において、可動片が倒れた状態を示す要部拡大図である。図６Ｂは、同上の変形例１の小便器装置において、可動片が起立した状態を示す要部拡大図である。
【図７】図７Ａは、本発明の一実施形態の変形例２の小便器装置において、ボウル部の対向面に対し、面一状態の突条を示す断面斜視図である。図７Ｂは、同上の変形例２の小便器装置において、ボウル部の対向面に対し、突出状態の突条を示す断面斜視図である。
【発明を実施するための形態】
【００１２】
以下に示す実施形態は、小便器１およびこれを備えた小便器装置に関し、詳しくは、ボウル部２の内面に洗浄水を流下させるように構成された小便器１、および、この小便器１を備えた小便器装置に関する。
【００１３】
以下、本発明の一例の実施形態について添付図面に基づいて説明する。
【００１４】
なお、以下の実施形態においては、壁に設置された状態の小便器１に基づいて説明する。特に、壁から小便器１に向かう方向を前方向、小便器１から壁に向かう方向を後方向として定義し、前方向および後方向に平行な方向を前後方向として定義する。また、水平面に沿う前後方向に直角な方向を左右方向として定義する。
【００１５】
（１）概要
本実施形態の小便器装置は、小便器１と、小便器１に電力を供給する発電機９とを備えている。小便器１は、小便を受けるボウル部２と、ボウル部２の内面に水を流下させる吐水部６とを備えている。ボウル部２の内面には、水流制御部４が設けられている。水流制御部４は、形状が可変となるように構成されており、形状を変えることで、ボウル部２の内面を流下する水（以下、洗浄水という場合がある）の流れる向きを変化させる。これにより、本実施形態の小便器装置によれば、洗浄水について、例えば、鉛直方向に流したり、汚れやすい箇所に集中させたりすることができ、ボウル部２の内面の効果的な洗浄を行うことができる。
【００１６】
（２）詳細
以下、本実施形態の小便器装置について詳しく説明する。ただし、以下に説明する構成は、本発明の一例に過ぎず、本発明は下記実施形態に限定されない。本発明に係る技術的思想を逸脱しない範囲であれば、具体的な仕様や、製品のタイプに応じて、下記実施形態からの種々の変更が可能である。
【００１７】
（２．１）小便器
本実施形態の小便器１は、男性の小便専用のストール小便器であり、床置き型の便器である。小便器１は、水流制御部４を有する便器本体１１と、水流制御部４を駆動する駆動部５と、ボウル部２の内面に水を吐出する吐水部６と、駆動部５および吐水部６の駆動を制御する制御装置８（図５参照）とを備えている。
【００１８】
（２．１．１）便器本体
便器本体１１は、小便器１の主体を構成する。便器本体１１は、ボウル部２と、外郭部３と、水流制御部４とを備えている。
【００１９】
ボウル部２は、小便を受けるように構成された部分である。ボウル部２は、ユーザに対向する対向面２１と、対向面２１の下端部から前方に延びる下受け面２２とを備えている。本実施形態の対向面２１は上下方向に延びており、左右方向に幅を有している。対向面２１は、水平断面において、後方向に突出するように円弧状に形成されている。下受け面２２は、椀状に形成されている。下受け面２２の下端部には、排水管に通じる排水口２３が形成されている。
【００２０】
外郭部３は、便器本体１１の外郭を形成する部分である。外郭部３は、ボウル部２に一体に形成されている。特に、本実施形態のボウル部２および外郭部３は合成樹脂製であり、樹脂成形（例えば、射出成形や注型成形）により一体成形されている。
【００２１】
水流制御部４は、形状が可変であり、形状の変化の前後で、洗浄水の流れる向きを変える。水流制御部４は、図２Ａ，２Ｂに示すように、ボウル部２の内面において、吐水部６の複数の吐出口６１０の下方に配置されている。本実施形態の水流制御部４は、形状を変える前においては洗浄水を鉛直方向に流下させ（図２Ａ）、形状を変えた後においては、洗浄水を対向面２１の左右方向の中央に向かうように流下させる（図２Ｂ）。本実施形態の水流制御部４は、図３に示すように、ベース部４１と、ベース部４１から突出する複数の突起部４２とを有している。
【００２２】
ベース部４１は、複数の突起部４２を支持する部分である。ベース部４１は、ボウル部２の内部に取り付けられている。ベース部４１は、例えば、板状に形成されており、ボウル部２にインサート成形されている。
【００２３】
複数の突起部４２は、ベース部４１から突出しており、各突起部の先端が前斜め下方に臨んでいる。複数の突起部４２は、ベース部４１がボウル部２の内部に取り付けられた状態において、ボウル部２の内面に対して、起倒可能に構成されている。ここで、「起倒可能」とは、起き上がってボウル部２の内面から突出した状態（起立状態）と、倒れてボウル部２の内面に沿った状態（倒れた状態）との間で変形できることを意味する。起立状態の突起部４２は、洗浄水の流れる向きが、倒れた状態の突起部４２に対して流れたときの洗浄水の流れの向きに比べて、変化する程度に立ち上がっていればよい。すなわち、突起部４２の起倒動作の変位は、変形の前後で洗浄水の流れる向きが変化する程度であればよい。
【００２４】
本実施形態の複数の突起部４２の各々は、磁性形状記憶合金により構成されている。磁性形状記憶合金は、磁場により形状が制御可能な形状記憶合金である。したがって、複数の突起部４２は、磁場内に置かれると変形する。つまり、本実施形態の複数の突起部４２は、駆動部５により磁場が発生すると、倒れた状態から起立状態に変化するように構成される。
【００２５】
具体的に各突起部４２は、極細のワイヤ（繊毛状のワイヤ）により構成されており、線状に形成されている。各ワイヤの長手方向は、図４Ａに示すように、倒れた状態では鉛直方向に平行となり、起立状態では、図４Ｂに示すように、下方に向かうほど対向面２１の左右方向の中央に位置するように鉛直方向に対して傾斜する。これにより、複数の突起部４２が起立状態にあるときに、洗浄水が複数の突起部４２に向かって流れると、洗浄水が対向面２１の左右方向の中央に向かうように流れる。これに対し、複数の突起部４２が倒れた状態にあるとき、洗浄水は鉛直方向に流れる。この複数の突起部４２は、駆動部５が発生する磁場によって起倒するように動作する。
【００２６】
（２．１．２）駆動部
駆動部５は、水流制御部４を駆動し、水流制御部４の形状を変化させる。駆動部５は、図３に示すように、ボウル部２の後方の壁の後ろに配置されている。駆動部５は、磁場を発生する電磁石５１を有している。この電磁石５１は、複数の突起部４２が設けられた領域の全域にわたって形成されており、磁場の発生の有無を切り替えることで、複数の突起部４２を起倒させる。この電磁石５１は、後述の発電機９に電気的に接続されており、発電機９から供給された電力を駆動源とする。
【００２７】
なお、駆動部４は、ボウル部２の後方の壁の後ろに配置されているが、ボウル部２の後方の壁の厚み内に配置されていてもよく、すなわち、便器本体１１の対向面２１の後方に配置されていればよい。
【００２８】
（２．１．３）吐水部
吐水部６は、水を吐出できるように構成されており、ボウル部２の内面に水を流下させることができる。吐水部６は、複数の吐出口６１０を有するスプレッダ６１と、開閉弁６２とを備えている。
【００２９】
スプレッダ６１は、図２Ａ，２Ｂに示すように、下側１８０°の範囲において放射状に水を吐出可能な複数の吐出口６１０を有している。スプレッダ６１は、ボウル部２の対向面２１の上端部に配置されており、詳しくは、水流制御部４の上方に配置される。スプレッダ６１には、給水配管６３が接続されており、給水配管６３を介して水道管（給水源）に接続されている。
【００３０】
開閉弁６２は、給水配管６３の長手方向の途中に接続されており、スプレッダ６１に供給する水の通過と停止とを切り替える。開閉弁６２は、例えば、電磁弁により構成される。開閉弁６２は、図５に示すように、制御装置８を介して、人体検知センサ７に電気的に接続されており、人体検知センサ７の検知情報に基づいて制御装置８により開閉動作が制御される。
【００３１】
ここで、人体検知センサ７は、小便器１の前方にユーザがいるか否かを検知する。人体検知センサ７は、図４に示すように、ボウル部２の対向面２１の上端部に配置されている。人体検知センサ７は、例えば赤外線センサにより構成されている。人体検知センサ７は、図５に示すように、制御装置８に電気的に接続されており、検知情報を制御装置８に出力する。
【００３２】
（２．１．４）制御装置
制御装置８は、弁制御部８１と、駆動制御部８２とを備えている。弁制御部８１は、人体検知センサ７と開閉弁６２とに電気的に接続されている。弁制御部８１は、人体検知センサ７から入力された検知情報に基づいて、開閉弁６２の駆動を制御する。
【００３３】
駆動制御部８２は、電磁石５１と、人体検知センサ７と、発電機９と、商用電源とに電気的に接続されている。駆動制御部８２は、発電機９または商用電源から供給された電力を電磁石５１に供給する。なお、駆動制御部８２は、商用電源から供給された交流電流を直流電流に変換した上で、電磁石５１に供給することができる。駆動制御部８２は、人体検知センサ７から入力された検知情報に基づいて電磁石５１に供給する電力を制御し、電磁石５１から発生する磁場の大きさを制御する。これにより、駆動制御部８２は、複数の突起部４２の起倒動作の変位やタイミングを制御することができる。
【００３４】
（２．２）発電機
発電機９は、駆動部５に対し、駆動制御部８２を介して電力を供給する。発電機９は、図３に示すように、小便器１が設置された部屋の床に配置される発電床装置９１により構成される。発電床装置９１は、小便器１のユーザの体重を受ける位置に配置された圧電素子を有しており、圧電素子により圧力エネルギーを電気エネルギーに変換して発電するように構成されている。
【００３５】
（３）動作
このような構成の小便器装置は、例えば次のように動作する。
【００３６】
ユーザが小便器１の前方に立つと、発電床装置９１は電気を起こし、制御装置８に出力する。また、人体検知センサ７は、小便器１の前方にユーザがいる旨検知し、その検知情報を制御装置８に出力する。このとき、複数の突起部４２はボウル部２の内面に沿った状態であり、水流制御部４の形状は変化していない。この状態でユーザは小便器１に向かって小便をする。
【００３７】
ユーザが小便を終え、小便器１の前方から立ち去ると、人体検知センサ７がＯＦＦとなる。すると、制御装置８は、開閉弁６２を開放して、スプレッダ６１から水を吐出させる。さらに、制御装置８は、駆動部５に電力を供給して磁場を発生させ、複数の突起部４２を起立させる。
【００３８】
すると、洗浄水は、図２Ｂに示すように、対向面２１の幅方向の中央に向かう方向に流れるように向きを変える。これにより、洗浄水を対向面２１の左右方向の中央に集中させることができる。
【００３９】
一定時間経過後、制御装置８は、電磁石５１に対して電力の供給を停止する。すると、複数の突起部４２は倒れて、ボウル部２の内面に沿った状態に変化する。この状態で洗浄水がボウル部２の内面に沿って流下すると、鉛直方向に流れる。これにより、ボウル部２の対向面２１の幅方向の中央を集中的に洗浄した後、幅方向の左右方向の両端近傍についても、洗浄することができる。
【００４０】
ここで、駆動部５は、発電床装置９１により発電された電気を駆動源とするが、発電床装置９１で発電された電力が足りない場合には、不足分を商用電源で補ってもよいし、商用電源を電源とするように切り替えてもよい。
【００４１】
なお、上述の水流制御部４の動作のタイミングは、一例に過ぎない。例えば、ユーザが小便をしているときに、駆動部５が水流制御部４を変形するように駆動してもよい。また、本実施形態では、洗浄水が流下しているうちの一定の時間について、複数の突起部４２を起立状態に変形させたが、洗浄水が流下している全ての時間について、複数の突起部４２を起立状態に変化させてもよい。
【００４２】
（４）効果
以上述べた実施形態から明らかなように、本実施形態の小便器１は、小便を受けるように構成されたボウル部２と、ボウル部２の内面に水を流下させる吐水部６とを備える。ボウル部２は、形状が可変な水流制御部４を有している。水流制御部４は、ボウル部２の内面において吐水部６から吐出された水が流れる部分に設けられる。小便器１は、水流制御部４を駆動し、水流制御部４の形状を変化させる駆動部５をさらに備える。この構成によれば、ボウル部２の内面を伝って流れる水の流れ方を変化させることができるので、例えば、洗浄水を、汚れの付着しやすいボウル部２の中央部に対して集中的に水を流したり、全面に均一的に流したりすることができる。この結果、本実施形態の小便器１によれば、ボウル部２の内面に汚れが残りにくくすることができる。
【００４３】
本実施形態の小便器１は、次の付加的な構成を有する。本実施形態の水流制御部４は、起倒可能な複数の突起部４２を有する。駆動部５は、複数の突起部４２を起倒させることができるように構成される。この構成によれば、複数の突起部４２を起立させることにより、変形の前後で水流の向きを変化させることができる。
【００４４】
本実施形態の小便器１は、次の付加的な構成を有する。本実施形態の複数の突起部４２の各々は、磁性形状記憶合金により構成される。駆動部５は、複数の突起部４２を起倒するよう駆動する電磁石５１を有する。この構成によれば、洗浄水の流れる向きを、電力を利用して制御することができる。
【００４５】
本実施形態の小便器１は、次の付加的な構成を有する。本実施形態の複数の突起部４２の各々は線状に形成される。この構成によれば、洗浄水や小便が複数の線状の突起部４２に当たっても、水跳ねや尿の跳ね返りを抑制することができる。
【００４６】
本実施形態の小便器装置は、駆動部５に電力を供給する発電機９を備える。この構成によれば、例えば、人体検知センサ７や電磁弁，あるいは駆動部５のいずれか、または全部を用いた小便器１に対して、できる限り商用電源を用いないで、電力を供給することができる。この結果、本実施形態の小便器装置によれば、商用電源の使用を抑制することができる。
【００４７】
本実施形態の小便器１は、次の付加的な構成を有する。本実施形態の発電機９は、小便器１が設置された部屋の床に配置される発電床装置９１により構成される。この構成によれば、ユーザが移動することによって発電することができるため、効率よく発電することができる。
【００４８】
（５）変形例
（５．１）水流制御部４の変形例１
上記実施形態の水流制御部４は、複数の突起部４２を有していたが、例えば、図６に示すような態様であってもよい（これを変形例１とする）。なお、本変形例において、上記実施形態に対応する構成については上記実施形態の構成と同じ符号を付し、上記実施形態と異なる構成については新たに符号を付した上で、符号の末尾に「ａ」を付記し、重複する説明は省略する。
【００４９】
変形例１の各突起部４２ａは、面状の水伝い面４４ａを有する可動片４３ａにより構成されている。水伝い面４４ａは、可動片４３ａの上面である。各可動片４３ａは、やや湾曲した形状をしている。各可動片４３ａは、ベース部４１ａから突出している。
【００５０】
複数の可動片４３ａは、磁性形状記憶合金により構成されている。複数の可動片４３ａは、磁場に置かれると変形し、起立状態に変化する。したがって、通常の状態の複数の可動片４３ａは、図６Ａに示すように、ボウル部２ａの内面に沿って倒れており、洗浄水を鉛直方向に流す。一方、起立状態の複数の可動片４３ａは、図６Ｂに示すように、ボウル部２ａの内面から起立しており、洗浄水を対向面２１ａの幅方向の中央部に向かって流す。
【００５１】
このように、変形例１の複数の突起部４２ａの各々は、吐水部６ａから吐出された水が伝うように構成された面状の水伝い面４４ａを有する。この構成によれば、面状の水伝い面４４ａによって、洗浄水の流れを制御することができるため、洗浄水の向きを制御しやすくできる。この結果、本変形例の小便器１ａによれば、ボウル部２ａの内面をより効果的に洗浄することができる。
【００５２】
（５．２）水流制御部４の変形例２
上記実施形態および変形例１の複数の突起部４２は、起倒するように駆動したが、例えば、図７に示すような態様であってもよい（これを変形例２とする）。なお、本変形例において、上記実施形態に対応する構成については上記実施形態の構成と同じ符号を付し、上記実施形態と異なる構成については新たに符号を付した上で、符号の末尾に「ｂ」を付記し、重複する説明は省略する。
【００５３】
変形例２の水流制御部４ｂは、形状の変形の態様として、複数の突起部４２がボウル部２ｂの対向面２１ｂに面一な状態（面一状態）と、ボウル部２の内面から突出した状態（突出状態）とを繰り返すように構成されている（つまり、本変形例の各突起部４２は、進退可能に構成される）。本実施形態の突起部４２ｂは、鉛直方向に交差する方向に延びた突条４３ｂにより構成される。
【００５４】
駆動部５ｂは、突起部４２ｂを駆動するように構成されている。駆動部５は、実施形態１と同様に、例えば、電磁石５１ｂにより構成される。なお、この場合、突条４３ｂは磁性体により構成される。
【００５５】
洗浄水は、複数の突起部４２ｂが面一状態になると鉛直方向に流れ、複数の突起部４２ｂが突出状態になると、流れる方向が変化する。
【００５６】
このように、本変形例においても、水流制御部４ｂのが変形することで、形状の変化の前後で、洗浄水の流れる向きを変えることができる。
【００５７】
（５．３）水流制御部４のその他の変形例
上記実施形態および変形例１の水流制御部４は、各突起部４２が起倒することで変形し、変形例２の水流制御部４は、各突起部４２が進退することで変形したが、例えば、次のような態様であってもよい。
【００５８】
水流制御部は、ボウル部２の対向面２１をゴム等の弾性変形可能な材料で形成し、部分的に対向面２１の後方から前方に押し出すことで、対向面２１を膨出させて形状を変えるものであってもよい。また、水流制御部４は、便器本体１１に取り付けられるものであってもよいし、ボウル部２の内面の一部となっているものでもよい。
【００５９】
（６）応用
上記実施形態と変形例１，２の駆動部５は、電磁石５１により構成されたが、例えば、熱を水流制御部４に伝導するヒータにより構成されてもよい。この場合、突起部４２は、加熱により形状が復元する形状記憶合金が用いられる。すなわち、上記実施形態と変形例１，２の駆動部５は、電気エネルギーを駆動源とするが、動力源は熱エネルギーや、力学的なエネルギー（例えば、手動）によるものであってもよく、実施形態に限定されない。
【００６０】
上記実施形態の発電機９は、発電床装置９１により構成されたが、例えば、太陽光発電装置により構成されてもよい。また、発電機９に蓄電装置を接続して、発電機９により発生した電気を蓄電するように構成されてもよい。蓄電装置は、制御装置８を介して電磁石５１に電気的に接続される。
【００６１】
上記実施形態の小便器１は、床置き形の小便器であったが、壁掛け式の小便器であってもよいし、いわゆるサニスタンドに適用してもよい。
【００６２】
上記実施形態の水流制御部４は、スプレッダ６１の下方に設けられたが、水流制御部４の少なくとも一部がスプレッダ６１の下方に位置していればよい。
【００６３】
上記実施形態の水流制御部４は、洗浄水の流下方向を対向面２１の幅方向の中央に向かう方向に変えるものであったが、例えば、下方に向かうほど左右方向のいずれかの端部に向かうように水流を変化させるものであってもよい。これにより、ボウル部２の下受け面２２において、旋回流を形成することも可能である。
【００６４】
実施形態と各変形例とで説明した構成は、適宜組み合わせて適用可能である。
【符号の説明】
【００６５】
１      小便器
２      ボウル部
４      水流制御部
４２，４２ａ，４２ｂ    突起部
４４ａ  水伝い面
５      駆動部
５１    電磁石
６      吐水部
９      発電機
９１    発電床装置
【図１】
2017115518.tif 000003
【図２】
2017115518.tif 000004
【図３】
2017115518.tif 000005
【図４】
2017115518.tif 000006
【図５】
2017115518.tif 000007
【図６】
2017115518.tif 000008
【図７】
2017115518.tif 000009